(57)【要約】【課題】商品の購入を促す情報を提供する。【解決手段】本願に係る提供装置は、予め設定された一人又は複数の購入者を示す購入者情報を提供する第１提供部と、購入者のうち利用者により選択された購入者により投稿された情報であって、当該購入者により購入された取引対象の説明を示す説明情報を取得する取得部と、取得部により取得された説明情報と、取引対象を示す情報と、選択された購入者を示す情報とを利用者に提供する第２提供部とを備えたことを特徴とする。【選択図】図１
2020135458.tif 000002
【特許請求の範囲】
【請求項１】
予め設定された一人又は複数の購入者を示す購入者情報を提供する第１提供部と、
前記購入者のうち利用者により選択された購入者により投稿された情報であって、当該購入者により購入された取引対象の説明を示す説明情報を取得する取得部と、
前記取得部により取得された説明情報と、前記取引対象を示す情報と、前記選択された購入者を示す情報とを利用者に提供する第２提供部と
を備えたことを特徴とする提供装置。
【請求項２】
前記取得部は、
前記購入者により投稿された前記取引対象に関するレビューである前記説明情報を取得する
ことを特徴とする請求項１に記載の提供装置。
【請求項３】
前記第１提供部は、
前記購入者を示すアイコン画像を含む前記購入者情報を提供する
ことを特徴とする請求項１または２に記載の提供装置。
【請求項４】
前記第１提供部は、
前記購入者による購入頻度が所定の条件を満たす取引対象のカテゴリを示す情報を含む前記購入者情報を提供する
ことを特徴とする請求項１から３のうちいずれか一つに記載の提供装置。
【請求項５】
前記取引対象を示す情報が前記利用者に選択された場合、当該取引対象を示す情報に対応する取引対象の販売コンテンツを提供する第３提供部
をさらに備えたことを特徴とする請求項１から４のうちいずれか一つに記載の提供装置。
【請求項６】
前記第１提供部は、
前記購入者の中から、所定の電子商取引サービスにおける行動を示す行動情報が前記利用者と類似する購入者を特定し、当該購入者を示す購入者情報を提供する
ことを特徴とする請求項１から５のうちいずれか一つに記載の提供装置。
【請求項７】
前記第１提供部は、
前記購入者の中から、前記所定の電子商取引サービスにおける購入履歴、若しくは、閲覧履歴が前記利用者と類似する購入者を特定し、当該購入者を示す購入者情報を提供する
ことを特徴とする請求項６に記載の提供装置。
【請求項８】
前記第１提供部は、
前記購入者の中から、前記説明情報を投稿した取引対象に基づく属性であって、所定の電子商取引サービスにおける前記利用者の行動を示す行動情報に対応する属性を有する購入者を特定し、当該購入者を示す購入者情報を提供する
ことを特徴とする請求項１から７のうちいずれか一つに記載の提供装置。
【請求項９】
前記第１提供部は、
前記説明情報を投稿した取引対象の数、若しくは、前記説明情報に対する評価が所定の条件を満たす前記購入者を示す購入者情報を提供する
ことを特徴とする請求項１から８のうちいずれか一つに記載の提供装置。
【請求項１０】
前記第１提供部は、
前記購入者の中から、前記利用者が入力した検索クエリに対応するカテゴリ、若しくは、前記利用者が選択したカテゴリに属する取引対象の購入頻度が所定の条件を満たす購入者を特定し、当該購入者を示す購入者情報を提供する
ことを特徴とする請求項１から９のうちいずれか一つに記載の提供装置。
【請求項１１】
前記第２提供部は、
前記選択された購入者を示す情報であって、所定の電子商取引サービスにおける購入履歴、若しくは、閲覧履歴を含む情報を提供する
ことを特徴とする請求項１から１０のうちいずれか一つに記載の提供装置。
【請求項１２】
前記第２提供部は、
前記購入者により投稿された日時が新しい順に前記説明情報を提供する
ことを特徴とする請求項１から１１のうちいずれか一つに記載の提供装置。
【請求項１３】
前記第２提供部は、
前記説明情報を評価の高い順に提供する
ことを特徴とする請求項１から１２のうちいずれか一つに記載の提供装置。
【請求項１４】
前記第２提供部は、
前記利用者の所定の電子商取引サービスにおける行動を示す行動情報に基づいて、前記説明情報のうち前記利用者に提供する説明情報を決定する
ことを特徴とする請求項１から１３のうちいずれか一つに記載の提供装置。
【請求項１５】
コンピュータが実行する提供方法であって、
予め設定された一人又は複数の購入者を示す購入者情報を提供する第１提供工程と、
前記購入者のうち利用者により選択された購入者により投稿された情報であって、当該購入者により購入された取引対象の説明を示す説明情報を取得する取得工程と、
前記取得工程により取得された説明情報と、前記取引対象を示す情報と、前記選択された購入者を示す情報とを利用者に提供する第２提供工程と
を含むことを特徴とする提供方法。
【請求項１６】
予め設定された一人又は複数の購入者を示す購入者情報を提供する第１提供手順と、
前記購入者のうち利用者により選択された購入者により投稿された情報であって、当該購入者により購入された取引対象の説明を示す説明情報を取得する取得手順と、
前記取得手順により取得された説明情報と、前記取引対象を示す情報と、前記選択された購入者を示す情報とを利用者に提供する第２提供手順と
コンピュータに実行させることを特徴とする提供プログラム。
【発明の詳細な説明】
【技術分野】
【０００１】
本発明は、提供装置、提供方法及び提供プログラムに関する。
【背景技術】
【０００２】
従来、電子商取引サービスにおいて、ユーザが投稿した商品のレビューを利用する技術が知られている。例えば、電子商取引システムにおいて、検索条件を満たす商取引対象に関するレビュー文章のうち、共通のレビュアによるレビュー文章を並べて配置された状態で視認可能に出力することにより、ユーザがレビュー文章の読み比べを容易にする技術が提案されている。
【先行技術文献】
【特許文献】
【０００３】
【特許文献１】特開２０１３−９７４６８号公報
【発明の概要】
【発明が解決しようとする課題】
【０００４】
しかしながら、上記の従来技術では、商品の購入を促す情報を提供できるとは限らない。例えば、上記の従来技術では、ユーザが入力した文字列を商品名に含む商品のレビュー文章うち、同一のレビュアによるレビュー文章を読み比べ可能に表示するに過ぎず、商品の購入を促す情報を提供できるとは限らない。
【０００５】
本願は、上記に鑑みてなされたものであって、商品の購入を促す情報を提供できる提供装置、提供方法及び提供プログラムを提供することを目的とする。
【課題を解決するための手段】
【０００６】
本願に係る提供装置は、予め設定された一人又は複数の購入者を示す購入者情報を提供する第１提供部と、前記購入者のうち利用者により選択された購入者により投稿された情報であって、当該購入者により購入された取引対象の説明を示す説明情報を取得する取得部と、前記取得部により取得された説明情報と、前記取引対象を示す情報と、前記選択された購入者を示す情報とを利用者に提供する第２提供部とを備えたことを特徴とする。
【発明の効果】
【０００７】
実施形態の一態様によれば、商品の購入を促す情報を提供できるという効果を奏する。
【図面の簡単な説明】
【０００８】
【図１】図１は、実施形態に係る提供処理の一例を示す図である。
【図２】図２は、実施形態に係る提供処理システムの構成例を示す図である。
【図３】図３は、実施形態に係る提供装置の構成例を示す図である。
【図４】図４は、実施形態に係る行動情報記憶部の一例を示す図である。
【図５】図５は、実施形態に係る購入者情報記憶部の一例を示す図である。
【図６】図６は、実施形態に係る説明情報記憶部の一例を示す図である。
【図７】図７は、実施形態に係る提供処理の手順の一例を示すフローチャートである。
【図８】図８は、提供装置の機能を実現するコンピュータの一例を示すハードウェア構成図である。
【発明を実施するための形態】
【０００９】
以下に本願に係る提供装置、提供方法及び提供プログラムを実施するための形態（以下、「実施形態」と呼ぶ）について図面を参照しつつ詳細に説明する。なお、この実施形態により本願に係る提供装置、提供方法及び提供プログラムが限定されるものではない。また、以下の各実施形態において同一の部位には同一の符号を付し、重複する説明は省略される。
【００１０】
〔１．実施形態〕
図１を用いて、本実施形態の提供装置等により実現される提供処理を説明する。図１は、実施形態に係る提供処理の一例を示す図である。図１に示す例において、提供処理システム１は、端末装置１０及び提供装置１００を有する。端末装置１０と、提供装置１００とは、図示しない所定の通信網を介して、有線又は無線により通信可能に接続される。なお、図１に示す提供処理システム１は、複数台の端末装置１０や、複数台の提供装置１００が含まれてもよい。
【００１１】
図１に示す端末装置１０は、ユーザによって利用される情報処理装置である。例えば、端末装置１０は、デスクトップ型ＰＣ（Personal  Computer）や、ノート型ＰＣや、タブレット端末や、携帯電話機や、ＰＤＡ（Personal  Digital  Assistant）等である。また、端末装置１０は、提供装置１００によって配信される所定の電子商取引サービス（以下、単に「電子商取引サービス」と記載する場合がある）に関する情報を、ウェブブラウザやアプリケーションにより表示する。また、端末装置１０は、提供装置１００によって配信される情報の表示処理を実現する制御情報を提供装置１００から受け取った場合には、制御情報に従って表示処理を実現する。また、端末装置１０は、端末装置１０を利用するユーザの電子商取引サービス上での行動に関する行動情報を提供装置１００に送信する。また、端末装置１０は、端末装置１０を利用するユーザが電子商取引サービスで購入した取引対象（任意の商品や役務）に関して入力（投稿）した説明情報（レビュー）、並びに、当該ユーザを示す購入者情報を提供装置１００に送信する。
【００１２】
なお、図１に示す例では、端末装置１０が、ユーザによって利用されるスマートフォンやタブレット等のスマートデバイスである場合を示す。また、図１に示す例にでは、端末装置１０を利用するユーザに応じて、端末装置１０を端末装置１０−１１〜１０−Ｎ（Ｎは任意の自然数）として説明する。例えば、端末装置１０−１１は、ユーザＩＤ「Ｕ１１」により識別されるユーザ（ユーザＵ１１）により利用される端末装置である。また、以下では、端末装置１０−１１〜１０−Ｎについて、特に区別なく説明する場合には、端末装置１０と記載する。
【００１３】
図１に示す提供装置１００は、端末装置１０を利用するユーザに所定の電子商取引サービスを提供するサーバ装置である。図１に示す例において、提供装置１００は、端末装置１０から行動情報を取得し、行動情報記憶部に格納する。また、提供装置１００は、端末装置１０から送信される購入者情報を取得し、購入者情報記憶部に格納する。また、提供装置１００は、端末装置１０から送信される説明情報を取得し、説明情報記憶部に格納する。
【００１４】
以下、図１を用いて、提供装置１００が行う提供処理について説明する。なお、以下の説明では、提供装置１００により提供される情報が、ユーザＵ１１により利用される端末装置１０−１１に表示される例を示す。また、以下の説明において、電子商取引サービスに関する情報を表示する画面が、端末装置１０に配信済みであるものとする。
【００１５】
最初に、端末装置１０を利用する各ユーザに関する情報の取得処理について説明する。
【００１６】
まず、提供装置１００は、ユーザＵ１１の電子商取引サービスにおける行動情報を取得する（ステップＳ１１）。例えば、図１の例において、提供装置１００は、電子商取引サービスにおけるユーザＵ１１の購入履歴や、閲覧履歴、入力した検索クエリ等を行動情報として端末装置１０−１１から取得する。
【００１７】
続いて、提供装置１００は、ユーザＵ１１以外の他のユーザ（図１に示すユーザＵ２１、Ｕ２２等。以下、「レビュア」と記載する場合がある）の電子商取引サービスにおける行動情報、購入者情報及び説明情報を取得する（ステップＳ１２）。例えば、図１の例において、提供装置１００は、電子商取引サービスにおけるレビュアの購入履歴や、閲覧履歴、入力した検索クエリ等を行動情報として端末装置１０−２１、１０−２２等から取得する。また、図１の例において、提供装置１００は、レビュアを示すアイコン画像、レビュアのプロフィール情報等の個人情報を購入者情報として端末装置１０−２１、１０−２２等から取得する。また、図１の例において、提供装置１００は、レビュアが提供装置１００に送信した商品の評価値（スコア）や、レビュー（テキスト情報）、商品画像（例えば、電子商取引サービス上で提供される画像や、レビュアが端末装置１０を用いて撮像した商品に関する画像など）、商品が属するカテゴリ等を説明情報として取得する。
【００１８】
なお、提供装置１００は、ステップＳ１２の処理を先に行ってもよいし、ステップＳ１１及びステップＳ１２の処理を同時に行ってもよい。また、提供装置１００は、行動情報、購入者情報及び説明情報を随時端末装置１０から取得し、更新してもよい。
【００１９】
次に、端末装置１０−１１に電子商取引サービスに関する画面が表示される際の処理について説明する。
【００２０】
まず、提供装置１００は、電子商取引サービスに関する画面において表示される購入者情報を提供する（ステップＳ２１）。例えば、図１の例において、提供装置１００は、電子商取引サービスの初期表示画面（トップページ）である端末装置１０−１１の画面Ｗ１に含まれる領域ＡＲ１１に表示される購入者情報を提供する。ここで、図１の例において、提供装置１００は、レビュアのうち、ユーザＵ１１と行動情報が類似し、且つ、説明情報を送信した商品の数が所定の閾値（例えば、５０件、１００件）以上のユーザを特定し、特定したユーザに対応する購入者情報を提供する。なお、図１の例において、提供装置１００は、ユーザＵ２１に対応する購入者情報を提供するものとする。この場合、提供装置１００は、購入者情報として、ユーザＵ２１のアイコン画像等を提供する。
【００２１】
なお、図１に示すように、提供装置１００は、ユーザＵ２１に対応する購入者情報に加え、ユーザＵ２１が送信した説明情報に基づく情報を提供してもよい。例えば、ユーザＵ２１が送信した説明情報のうち、カテゴリ「日用品」に属する商品に関する説明情報が所定の閾値（例えば、５割）以上である場合、提供装置１００は、ユーザＵ２１に関する情報としてテキスト情報「日用品に詳しい！」を提供する。また、例えば、提供装置１００は、ユーザＵ２１が送信した説明情報のうち、高いスコアが付与された説明情報に対応する商品に関する情報を、ユーザＵ２１による「イチオシ商品」に関する情報として提供してもよい。
【００２２】
また、例えば、提供装置１００は、ユーザＵ２１が送信した説明情報のうち、ユーザＵ１１の行動情報に対応する商品に関する情報を「イチオシ商品」に関する情報として提供してもよい。例えば、提供装置１００は、ユーザＵ１１の行動情報にカテゴリ「靴」に属する商品の閲覧履歴が多く含まれる場合、ユーザＵ２１が送信した説明情報のうち、カテゴリ「靴」に属する商品、並びに、カテゴリ「靴」に関連するカテゴリ（例えば、ファッションに関するカテゴリ「トップス」、「ボトムス」）に属する商品に関する情報を、ユーザＵ２１による「イチオシ商品」に関する情報として提供する。
【００２３】
また、提供装置１００は、ユーザＵ１１が商品を検索する過程で入力した情報に応じて表示される画面において、購入者情報を提供してもよい。例えば、図１の例において、提供装置１００は、ユーザＵ１１が電子商取引サービスに関する画面において選択した商品のカテゴリ「ベビー用品」に応じて端末装置１０−１１が表示する画面Ｗ２の領域ＡＲ２１に表示される購入者情報を提供する。ここで、図１の例において、提供装置１００は、レビュアのうち、カテゴリ「ベビー用品」に属する商品の説明情報を送信した数が所定の閾値（例えば、５０件、１００件）以上のユーザを特定し、特定したユーザに対応する購入者情報（特定したユーザのアイコン画像）を提供する。
【００２４】
続いて、提供装置１００は、ユーザＵ１１が選択したレビュアに対応する説明情報を取得する（ステップＳ２２）。ここで、図１の例において、ユーザＵ１１が画面Ｗ１またはＷ２においてユーザＵ２１を選択したものとする。この場合、提供装置１００は、ユーザＵ２１が送信した説明情報を説明情報記憶部から取得する。
【００２５】
なお、画面Ｗ２において、ユーザＵ２１が選択された場合、提供装置１００は、ユーザ２１が送信した説明情報のうち、カテゴリ「ベビー用品」に属する商品の説明情報を説明情報記憶部から取得してもよい。
【００２６】
続いて、提供装置１００は、取得した説明情報、当該説明情報に対応する商品に関する商品情報及びユーザＵ２１の購入者情報を提供する（ステップＳ２３）。例えば、図１の例において、提供装置１００は、画面Ｗ１またはＷ２において提供されたレビュアがユーザＵ１１に選択された場合に端末装置１０−１１が表示する画面Ｗ３において、説明情報、商品情報及び購入者情報を提供する。図１に示すように、画面Ｗ３には、レビュアのアイコン画像及びプロフィール情報を表示する領域ＡＲ３１、並びに、レビュアによるレビュー及び商品画像を商品ごとに表示する領域ＡＲ３２を含む。ここで、端末装置１０−１１は、領域ＡＲ３２に表示した商品がユーザＵ１１に選択された場合、当該商品に対応する商品情報を表示する。例えば、端末装置１０−１１は、ユーザＵ１１に選択された商品に対応する電子商取引サービス上のページ（販売コンテンツ）を表示する。
【００２７】
なお、提供装置１００は、ユーザの行動情報に基づいて特定した商品または商品のカテゴリの説明情報を取得し、取得した説明情報、並びに、説明情報を投稿したユーザの購入者情報を提供してもよい。例えば、図１の例において、提供装置１００は、所定の期間（例えば、直近１週間）内のユーザＵ１１の商品の購入履歴、閲覧履歴、検索履歴等に基づいてユーザＵ１１の関心度が高いと推定される商品または商品のカテゴリを特定する。そして、提供装置１００は、特定した商品または商品のカテゴリの説明情報と共に、説明情報を閲覧したユーザによる評価を取得し、取得した評価に基づいて、説明情報、並びに、当該説明情報を投稿したレビュアの購入者情報を端末装置１０−１１に提供する。例えば、図１の例において、提供装置１００は、説明情報と共に説明情報を閲覧したユーザによる評価に関する情報を取得し、評価が高い説明情報、並びに、当該説明情報を投稿したレビュアの購入者情報を優先的に端末装置１０−１１に提供する。
【００２８】
電子商取引サービスにおいて、ユーザが購入する商品を決定する基準の一つとして考えられるのが、他のユーザによる商品のレビューである。しかしながら、従来、電子商取引サービスにおけるレビューは、レビューを投稿したユーザに関する情報が不透明であり、レビューの信頼度が低いという問題点があった。
【００２９】
これに対し、上記の実施形態に係る提供装置１００は、ユーザに対し、行動情報が類似するレビュアや、商品の検索過程においてユーザが検索している商品のカテゴリにおいて多くのレビューを投稿しているレビュア（言い換えると、ユーザが検索している商品のカテゴリについて詳しいレビュア）に関する情報と共に、当該レビュアによる商品のレビューを提供できる。すなわち、実施形態に係る提供装置１００は、ユーザに商品の購入を促す情報を提供できる。
【００３０】
〔２．提供処理システムの構成〕
次に、上述した情報処理を実現するための提供処理システム１について図２を用いて説明する。図２は、実施形態に係る提供処理システムの構成例を示す図である。図２に示すように、実施形態に係る提供処理システム１は、端末装置１０と、提供装置１００とを含む。端末装置１０及び提供装置１００は、ネットワークＮを介して有線または無線により相互に通信可能に接続される。なお、ネットワークＮは、ＬＡＮ（Local  Area  Network）、ＷＡＮ（Wide  Area  Network）、電話網（携帯電話網、固定電話網等）、地域ＩＰ（Internet  Protocol）網、インターネット等の通信ネットワークである。ネットワークＮには、有線ネットワークが含まれていてもよいし、無線ネットワークが含まれていてもよい。また、図２に示す提供処理システム１には、複数台の端末装置１０や、複数台の提供装置１００が含まれてもよい。
【００３１】
端末装置１０は、ユーザよって利用される情報処理装置である。端末装置１０は、提供装置１００によって提供される情報を、ウェブブラウザやアプリケーションにより表示する。また、端末装置１０は、提供装置１００によって提供される情報の表示処理を実現する制御情報を提供装置１００から受け取った場合には、制御情報に従って表示処理を実現する。また、端末装置１０は、提供装置１００が提供する電子商取引サービス上でのユーザの行動に関する行動情報を提供装置１００に送信する。また、端末装置１０は、提供装置１００が提供する電子商取引サービスでユーザが購入した取引対象（商品）に関して投稿した説明情報（レビュー）、並びに、ユーザを示す購入者情報を提供装置１００に送信する。
【００３２】
提供装置１００は、電子商取引サービスを提供するサーバ装置である。提供装置１００は、端末装置１０から送信される行動情報、説明情報及び購入者情報を管理する。なお、提供装置１００は、電子商取引サービスに関するアプリケーションのデータそのものを配信するサーバであってもよい。また、提供装置１００は、端末装置１０に制御情報を配信する配信装置として機能してもよい。ここで、制御情報は、例えば、ＪａｖａＳｃｒｉｐｔ（登録商標）等のスクリプト言語やＣＳＳ（Cascading  Style  Sheets）等のスタイルシート言語により記述される。なお、提供装置１００から配信されるコンテンツに関するアプリそのものを制御情報とみなしてもよい。提供装置１００の構成は後述する。
【００３３】
〔３．情報処理装置の構成〕
次に、図３を用いて、提供装置１００の構成について説明する。図３は、実施形態に係る提供装置の構成例を示す図である。図３に示すように、提供装置１００は、通信部１１０と、記憶部１２０と、制御部１３０とを有する。
【００３４】
（通信部１１０について）
通信部１１０は、例えば、ＮＩＣ（Network  Interface  Card）等によって実現される。そして、通信部１１０は、ネットワークＮと有線または無線で接続され、端末装置１０等との間で情報の送受信を行う。
【００３５】
（記憶部１２０について）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。図３に示すように、記憶部１２０は、行動情報記憶部１２１と、購入者情報記憶部１２２と、説明情報記憶部１２３を有する。
【００３６】
（行動情報記憶部１２１について）
行動情報記憶部１２１は、端末装置１０を利用するユーザの電子商取引サービス上での行動に関する行動情報を記憶する。ここで、図４を用いて、行動情報記憶部１２１が記憶する情報の一例を説明する。図４は、実施形態に係る行動情報記憶部の一例を示す図である。図４の例では、行動情報記憶部１２１は、「ユーザＩＤ」、「購入履歴」、「閲覧履歴」、「検索クエリ」といった項目を有する。
【００３７】
「ユーザＩＤ」は、ユーザを識別するための識別情報を示す。「商品名」は、商品の名称を示す。「購入履歴」は、提供装置１００が提供する電子用取引サービスにおいてユーザが購入した商品に関する情報を示す。なお、図４では、「購入履歴」に「購入履歴１１」といった概念的な情報が格納される例を示したが、実際には、商品を識別するための識別情報や、購入日時などが格納される。
【００３８】
「閲覧履歴」は、提供装置１００が提供する電子用取引サービスにおいてユーザが閲覧した商品に関する情報を示す。なお、図４では、「閲覧履歴」に「閲覧履歴１１」といった概念的な情報が格納される例を示したが、実際には、商品を識別するための識別情報や、閲覧日時などが格納される。
【００３９】
「検索クエリ」は、提供装置１００が提供する電子用取引サービスにおいてユーザが入力した検索クエリに関する情報を示す。なお、図４では、「検索クエリ」に「検索クエリ１１」といった概念的な情報が格納される例を示したが、実際には、ユーザは入力した検索クエリや、検索クエリを入力した日時などが格納される。
【００４０】
すなわち、ユーザＩＤ「Ｕ１１」によって識別されるユーザの「購入履歴１１」、「閲覧履歴１１」及び「検索クエリ１１」が格納されている例を示す。
【００４１】
（購入者情報記憶部１２２について）
購入者情報記憶部１２２は、端末装置１０を利用するユーザが提供装置１００に送信した購入者情報を記憶する。ここで、図５を用いて、購入者情報記憶部１２２が記憶する情報の一例を説明する。図５は、実施形態に係る購入者情報記憶部の一例を示す図である。図５の例では、購入者情報記憶部１２２は、「ユーザＩＤ」、「アイコン画像」、「プロフィール」といった項目を有する。
【００４２】
「ユーザＩＤ」は、ユーザを識別するための識別情報を示す。「アイコン画像」は、ユーザに対応するアイコン画像を示す。なお、図５では、「アイコン画像」に「アイコン画像１」といった概念的な情報が格納される例を示したが、実際には、画像、または、その格納場所を示すファイルパス名、ＵＲＬなどが格納される。
【００４３】
「プロフィール」は、ユーザのプロフィールに関する情報を示す。なお、図５では、「プロフィール」に「プロフィール１」といった概念的な情報が格納される例を示したが、実際には、ユーザの性別、年齢、趣味、電子用取引サービスにおいて購入する商品が属するカテゴリ、説明情報を送信した商品が属するカテゴリなどに関するテキスト情報が格納される。
【００４４】
すなわち、図５では、ユーザＩＤ「Ｕ２１」によって識別されるユーザが、「アイコン画像１」及び「プロフィール１」を含む購入者情報を提供装置１００に送信した例を示す。
【００４５】
（説明情報記憶部１２３について）
説明情報記憶部１２３は、端末装置１０を利用するユーザが提供装置１００に電子商取引サービスで購入した取引対象（商品）に関して投稿した説明情報（レビュー）を記憶する。ここで、図６を用いて、説明情報記憶部１２３が記憶する情報の一例を説明する。図６は、実施形態に係る説明情報記憶部の一例を示す図である。図６の例では、購入者情報記憶部１２２は、「ユーザＩＤ」、「カテゴリ」、「商品ＩＤ」、「スコア」、「レビュー」、「商品画像」といった項目を有する。
【００４６】
「ユーザＩＤ」は、ユーザを識別するための識別情報を示す。「カテゴリ」は、商品が属するカテゴリを示す。「商品ＩＤ」は、商品を識別するための識別情報を示す。「スコア」は、「ユーザＩＤ」に格納された情報によって識別されるユーザによる商品の評価を示す評価値を示す。例えば、図６の例では、「１（非常に悪い）」から「５（非常に良い）」までの５段階の評価値のうちいずれかが格納される。
【００４７】
「レビュー」は、「ユーザＩＤ」に格納された情報によって識別されるユーザによる商品のレビューを示す。なお、図６では、「レビュー」に「レビュー１」といった概念的な情報が格納される例を示したが、実際には、商品のレビューを示すテキスト情報が格納される。「商品画像」は、商品の画像を示す。なお、図６では、「商品画像」に「商品画像１」といった概念的な情報が格納される例を示したが、実際には、電子商取引サービスにおける商品に対応する販売コンテンツに含まれる画像、動画や、「ユーザＩＤ」に格納された情報によって識別されるユーザが端末装置１０を用いて撮像した商品に関する画像、動画、または、その格納場所を示すファイルパス名、ＵＲＬなどが格納される。
【００４８】
すなわち、図６では、ユーザＩＤ「Ｕ２１」によって識別されるユーザが、カテゴリ「家電」に属し、商品ＩＤ「Ｐ１」によって識別される商品の評価値を「５」と評価し、「レビュー１」及び「商品画像１」を含む説明情報を提供装置１００に送信した例を示す。
【００４９】
（制御部１３０について）
制御部１３０は、コントローラ（controller）であり、例えば、ＣＰＵ（Central  Processing  Unit）やＭＰＵ（Micro  Processing  Unit）等によって、提供装置１００内部の記憶装置に記憶されている各種プログラムがＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。実施形態に係る制御部１３０は、図３に示すように、選択コンテンツ提供部１３１と、取得部１３２と、レビュアコンテンツ提供部１３３とを有し、以下に説明する情報処理の機能や作用を実現または実行する。
【００５０】
（選択コンテンツ提供部１３１について）
選択コンテンツ提供部１３１は、予め設定された一人又は複数の購入者を示す購入者情報を提供する。例えば、選択コンテンツ提供部１３１は、購入者情報記憶部１２２に記憶された購入者情報を所定の条件に基づいて抽出し、抽出した購入者情報を端末装置１０に提供する。
【００５１】
また、選択コンテンツ提供部１３１は、購入者を示すアイコン画像を含む購入者情報を提供してもよい。例えば、図１の例において、選択コンテンツ提供部１３１は、購入者情報として、ユーザＵ２１（購入者）のアイコン画像等を提供する。
【００５２】
また、選択コンテンツ提供部１３１は、購入者による購入頻度が所定の条件を満たす取引対象のカテゴリを示す情報を含む購入者情報を提供してもよい。例えば、図１の例において、選択コンテンツ提供部１３１は、行動情報記憶部１２１を参照し、ユーザＵ２１のカテゴリ「日用品」に属する商品の購入頻度が所定の条件を満たす場合、テキスト情報「日用品に詳しい！」を含むユーザＵ２１の購入者情報を提供する。例えば、選択コンテンツ提供部１３１は、ユーザＵ２１が購入した商品のうち、カテゴリ「日用品」に属する商品の割合が所定の閾値（例えば、５割）以上である場合や、所定の期間（例えば、直近１週間、１ヶ月）内にカテゴリ「日用品」に属する商品を所定の閾値（例えば、１０、５０）以上購入した場合、テキスト情報「日用品に詳しい！」を含むユーザＵ２１の購入者情報を提供する。
【００５３】
また、選択コンテンツ提供部１３１は、購入者の中から、所定の電子商取引サービスにおける行動を示す行動情報が利用者と類似する購入者を特定し、当該購入者を示す購入者情報を提供してもよい。例えば、図１の例において、選択コンテンツ提供部１３１は、行動情報記憶部１２１を参照し、レビュア（購入者）のうち、ユーザＵ１１と行動情報が類似しているユーザを特定し、特定したユーザに対応する購入者情報を提供する。
【００５４】
また、選択コンテンツ提供部１３１は、購入者の中から、所定の電子商取引サービスにおける購入履歴、若しくは、閲覧履歴が利用者と類似する購入者を特定し、当該購入者を示す購入者情報を提供してもよい。例えば、図１の例において、選択コンテンツ提供部１３１は、行動情報記憶部１２１を参照し、レビュアのうち、電子商取引サービスにおける購入履歴、若しくは、閲覧履歴がユーザＵ１１と類似しているユーザを特定し、特定したユーザに対応する購入者情報を提供する。
【００５５】
また、選択コンテンツ提供部１３１は、購入者の中から、説明情報を投稿した取引対象に基づく属性であって、所定の電子商取引サービスにおける利用者の行動を示す行動情報に対応する属性を有する購入者を特定し、当該購入者を示す購入者情報を提供してもよい。例えば、図１の例において、ユーザＵ２１が説明情報を投稿した商品のうち、カテゴリ「日用品」に属する商品の数が所定の閾値（例えば、５０、１００）以上であるものとする。この場合、選択コンテンツ提供部１３１は、ユーザＵ２１の属性を「日用品に詳しい」と設定し、行動情報にカテゴリ「日用品」に属する商品に関する購入履歴、若しくは、閲覧履歴が含まれるユーザに対し、ユーザＵ２１を示す購入者情報を提供する。
【００５６】
また、選択コンテンツ提供部１３１は、説明情報を投稿した取引対象の数、若しくは、説明情報に対する評価が所定の条件を満たす購入者を示す購入者情報を提供してもよい。例えば、図１の例において、選択コンテンツ提供部１３１は、説明情報記憶部１２３を参照し、説明情報を投稿した商品の数が所定の閾値（例えば、５０、１００）以上であるレビュアを示す購入者情報を提供する。また、図１の例において、選択コンテンツ提供部１３１は、説明情報（レビュー）を閲覧したユーザによる各説明情報の評価を示す指標値（例えば、「１（参考にならなかった）」から「５（非常に参考になった）」までの５段階の指標値）の平均値が、所定の閾値以上（例えば、全ての説明情報の指標値の平均が４）以上であるレビュアを示す購入者情報を提供する。
【００５７】
なお、選択コンテンツ提供部１３１は、説明情報が端末装置１０において表示された回数（Page  View）に基づいてレビュアを特定し、特定したレビュアの購入者情報を提供してもよい。例えば、選択コンテンツ提供部１３１は、説明情報の表示された回数の累積が多いレビュア程、優先的に購入者情報を提供する。そして、選択コンテンツ提供部１３１は、説明情報の表示された回数の累積が少ないレビュア程、購入者情報を提供する際の優先度を下げる。
【００５８】
また、選択コンテンツ提供部１３１は、端末装置１０において、説明情報を表示する画面を介して説明情報に対応する商品に関する画面に遷移した回数、若しくは、遷移した割合（Click  Through  Rate）に基づいてレビュアを特定し、特定したレビュアの購入者情報を提供してもよい。例えば、選択コンテンツ提供部１３１は、商品に関する画面に遷移した回数の累積が多いレビュア程、優先的に購入者情報を提供する。また、例えば、選択コンテンツ提供部１３１は、商品に関する画面に遷移した割合が高いレビュア程、優先的に購入者情報を提供する。そして、選択コンテンツ提供部１３１は、商品に関する画面に遷移した割合が低いレビュア程、購入者情報を提供する際の優先度を下げる。
【００５９】
また、選択コンテンツ提供部１３１は、説明情報を閲覧したユーザが、説明情報に対応する商品に関して行った所定の行動（例えば、電子商取引サービスにおいて商品をカートに入れた、ユーザに関連付けられた所定のリストに商品を追加した、等）の回数、若しくは、その割合に基づいてレビュアを特定し、特定したレビュアの購入者情報を提供してもよい。例えば、選択コンテンツ提供部１３１は、説明情報を閲覧したユーザが所定の行動を行った回数の累積が多いレビュア程、優先的に購入者情報を提供する。また、例えば、選択コンテンツ提供部１３１は、説明情報を閲覧したユーザが所定の行動を行った回数の割合が高いレビュア程、優先的に購入者情報を提供する。そして、選択コンテンツ提供部１３１は、説明情報を閲覧したユーザが所定の行動を行った回数の割合が低いレビュア程、購入者情報を提供する際の優先度を下げる。
【００６０】
また、選択コンテンツ提供部１３１は、説明情報を閲覧したユーザが、説明情報に対応する商品を購入した回数、若しくは、その割合（Conversion  Rate）に基づいてレビュアを特定し、特定したレビュアの購入者情報を提供してもよい。例えば、選択コンテンツ提供部１３１は、説明情報を閲覧したユーザが説明情報に対応する商品を購入した回数の累積が多いレビュア程、優先的に購入者情報を提供する。また、例えば、選択コンテンツ提供部１３１は、説明情報に対応する商品を購入した回数の割合が高いレビュア程、優先的に購入者情報を提供する。そして、選択コンテンツ提供部１３１は、説明情報に対応する商品を購入した回数の割合が低いレビュア程、購入者情報を提供する際の優先度を下げる。
【００６１】
また、選択コンテンツ提供部１３１は、購入者の中から、利用者が入力した検索クエリに対応するカテゴリ、若しくは、利用者が選択したカテゴリに属する取引対象の購入頻度が所定の条件を満たす購入者を特定し、当該購入者を示す購入者情報を提供してもよい。例えば、図１の例において、ユーザＵ１１が電子商取引サービスに関する画面において選択した商品のカテゴリ「ベビー用品」した場合、選択コンテンツ提供部１３１は、レビュアのうち、カテゴリ「ベビー用品」に属する商品の説明情報を送信した数が所定の閾値（例えば、５０件、１００件）以上のユーザを特定し、特定したユーザに対応する購入者情報（特定したユーザのアイコン画像）を提供する。
【００６２】
（取得部１３２について）
取得部１３２は、購入者のうち利用者により選択された購入者により投稿された情報であって、当該購入者により購入された取引対象の説明を示す説明情報を取得する。例えば、図１の例において、ユーザＵ１１が画面Ｗ１またはＷ２においてユーザＵ２１を選択した場合、取得部１３２は、ユーザＵ２１が送信した説明情報を説明情報記憶部１２３から取得する。
【００６３】
また、取得部１３２は、購入者により投稿された取引対象に関するレビューである説明情報を取得してもよい。例えば、図１の例において、取得部１３２は、ユーザＵ２１が商品に関して投稿したレビューである説明情報を取得する。
【００６４】
（レビュアコンテンツ提供部１３３について）
レビュアコンテンツ提供部１３３は、取得部１３２により取得された説明情報と、取引対象を示す情報と、選択された購入者を示す情報とを利用者に提供する。例えば、図１の例において、レビュアコンテンツ提供部１３３は、レビュアのアイコン画像及びプロフィールを含む購入者情報と、レビュアによるレビュー及び商品画像を含む説明情報を提供する。
【００６５】
また、レビュアコンテンツ提供部１３３は、取引対象を示す情報が利用者に選択された場合、当該取引対象を示す情報に対応する取引対象の販売コンテンツを提供してもよい。例えば、図１の画面Ｗ３において、レビュアコンテンツ提供部１３３は、領域ＡＲ３２に表示した商品がユーザＵ１１に選択された場合、選択された商品に対応する電子商取引サービス上の所定のページを表示する。例えば、図１の例において、レビュアコンテンツ提供部１３３は、領域ＡＲ３２に表示した商品がユーザＵ１１に選択された場合、ユーザＵ２１が当該商品を購入した電子商取引サービス内のストアのページを表示する。
【００６６】
また、レビュアコンテンツ提供部１３３は、取引対象を示す情報が利用者に選択された場合、電子商取引サービス内のストアのページを当該取引対象の販売価格に基づいて提供してもよい。例えば、レビュアコンテンツ提供部１３３は、利用者に選択された取引対象の提示価格が低いストアのページ程優先的に提供する。また、例えば、レビュアコンテンツ提供部１３３は、電子商取引サービス内のストアのうち、利用者に選択された取引対象のセール（値引き）を行っているストアのページを優先的に提供する。
【００６７】
また、レビュアコンテンツ提供部１３３は、取引対象を示す情報が利用者に選択された場合、電子商取引サービス内のストアのページを当該取引対象の取引実績に基づいて提供してもよい。例えば、レビュアコンテンツ提供部１３３は、利用者に選択された取引対象、若しくは、当該取引対象が属するカテゴリにおける販売数、売上等が高いストア程優先的に抽出し、抽出したストアのページを提供する。
【００６８】
また、レビュアコンテンツ提供部１３３は、取引対象を示す情報が利用者に選択された場合、電子商取引サービス内のストアのうち、当該取引対象の在庫を有するストアのページを提供してもよい。
【００６９】
また、レビュアコンテンツ提供部１３３は、取引対象を示す情報が利用者に選択された場合、電子商取引サービス内のストアのページをストアの評価に基づいて提供してもよい。例えば、レビュアコンテンツ提供部１３３は、ストアを利用したユーザが投稿した説明情報に含まれるストアに対する評価（例えば、出荷の速さや、ユーザサポート等に関する評価）が高いストア程優先的に抽出し、抽出したストアのページを提供する。また、例えば、レビュアコンテンツ提供部１３３は、ストア側の都合により購入後に取引対象の販売がキャンセルされた割合（ストア都合キャンセル率）が低いストア程優先的に抽出し、抽出したストアのページを提供する。
【００７０】
また、レビュアコンテンツ提供部１３３は、取引対象を示す情報が利用者に選択された場合、取引対象の販売を促進するためにストアから電子商取引サービスの提供主に支払われる費用である販売促進費（例えば、広告費用や、電子商取引サービスにおけるストアの出店料、電子商取引サービスの運営に用いられる費用等）に基づいてストアのページを提供してもよい。例えば、レビュアコンテンツ提供部１３３は、販売促進費や、取引対象の価格に対する販売促進費の割合が高いストア程優先的に抽出し、抽出したストアのページを提供する。
【００７１】
また、レビュアコンテンツ提供部１３３は、選択された購入者を示す情報であって、所定の電子商取引サービスにおける購入履歴、若しくは、閲覧履歴を含む情報を提供してもよい。例えば、図１の例において、レビュアコンテンツ提供部１３３は、行動情報記憶部１２１を参照し、ユーザＵ２１の電子商取引サービスにおける購入履歴及び閲覧履歴を画面Ｗ３に表示する。
【００７２】
また、レビュアコンテンツ提供部１３３は、購入者により投稿された日時が新しい順に説明情報を提供してもよい。例えば、図１の画面Ｗ１において、レビュアコンテンツ提供部１３３は、ユーザＵ２１により投稿された説明情報のうち、投稿された日時が新しい上位３つの説明情報を、領域ＡＲ１１に表示される説明情報として提供する。また、例えば、図１の画面Ｗ３において、レビュアコンテンツ提供部１３３は、ユーザＵ２１により投稿された日時が新しい順に説明情報を提供する。
【００７３】
また、レビュアコンテンツ提供部１３３は、説明情報を評価の高い順に提供してもよい。例えば、図１の画面Ｗ１において、レビュアコンテンツ提供部１３３は、ユーザＵ２１により投稿された説明情報のうち、閲覧したユーザによる評価を示す指標値（例えば、「１（参考にならなかった）」から「５（非常に参考になった）」までの５段階の指標値）の平均値が高い上位３つの説明情報を、領域ＡＲ１１に表示される説明情報として提供する。また、例えば、図１の画面Ｗ３において、レビュアコンテンツ提供部１３３は、説明情報を閲覧したユーザによる説明情報の評価を示す指標値の平均値が高い順に説明情報を提供する。
【００７４】
また、レビュアコンテンツ提供部１３３は、利用者の所定の電子商取引サービスにおける行動を示す行動情報に基づいて、説明情報のうち利用者に提供する説明情報を決定してもよい。例えば、図１の例において、レビュアコンテンツ提供部１３３は、ユーザＵ２１により投稿された説明情報のうち、所定の期間（例えば、直近１週間）内のユーザＵ１１の購入履歴に含まれる商品と同一のカテゴリに属する商品に関する説明情報を、画面Ｗ１または画面Ｗ３において優先的に提供する。また、例えば、図１の例において、レビュアコンテンツ提供部１３３は、ユーザＵ２１により投稿された説明情報のうち、所定の期間内のユーザＵ１１の閲覧履歴に含まれる商品、若しくは、当該商品に関連する商品に関する説明情報を、画面Ｗ１または画面Ｗ３において優先的に提供する。また、例えば、図１の例において、レビュアコンテンツ提供部１３３は、ユーザＵ２１により投稿された説明情報のうち、所定の期間内のユーザＵ１１の検索履歴に含まれる検索クエリに対応する商品、若しくは、当該商品に関連する商品に関する説明情報を、画面Ｗ１または画面Ｗ３において優先的に提供する。
【００７５】
〔４．提供処理のフロー〕
ここで、図７を用いて、実施形態に係る提供装置１００の提供処理の手順について説明する。図７は、実施形態に係る提供処理の手順の一例を示すフローチャートである。
【００７６】
図７に示すように、提供装置１００は、購入者を示す購入者情報を提供する（ステップＳ１０１）。例えば、図１の例において、提供装置１００は、レビュア（購入者）のうち、ユーザＵ１１と行動情報が類似し、且つ、説明情報を送信した商品の数が所定の閾値以上のユーザを特定し、特定したユーザに対応する購入者情報を提供する。
【００７７】
続いて、提供装置１００は、利用者により選択された購入者により投稿された説明情報を取得する（ステップＳ１０２）。例えば、図１の例において、提供装置１００は、ユーザＵ１１が画面Ｗ１またはＷ２において選択したユーザＵ２１が送信した説明情報を説明情報記憶部１２３から取得する。
【００７８】
続いて、提供装置１００は、説明情報、取引対象を示す情報及び購入者を示す情報を提供し（ステップＳ１０３）、処理を終了する。例えば、図１の例において、提供装置１００は、ユーザＵ１１が選択したユーザＵ２１のアイコン画像及びプロフィール情報、ユーザＵ２１によるレビュー及び商品画像を提供する。
【００７９】
〔５．変形例〕
上述の実施形態は一例を示したものであり、種々の変更及び応用が可能である。
【００８０】
〔５−１．取引対象について〕
上述の実施形態において、取引対象が商品である例を示したが、取引対象はこの例に限定されず、取引対象はサービス（例えば、マッサージや、料理等）であってもよい。例えば、提供装置１００は、サービスの提供者が運営するサービス施設、ユーザの拠点、これら以外の施設等でサービスの提供を受けたユーザが投稿したサービスの説明情報、サービスを示す情報、並びに、当該ユーザに関する情報を利用者に提供する。具体的には、提供装置１００は、サービスの提供を受けたユーザが投稿した、当該サービスの内容に関する説明情報や、当該サービスを提供した事業者に関する説明情報、事業者のもとで働く人員であって実際にユーザにサービスを提供した人員（例えば、従業員や、マッサージの施術者、料理人等）に関する説明情報を利用者に提供する。
【００８１】
〔５−２．商品のカテゴリについて〕
上述の図１の実施形態において、ユーザＵ１１が電子商取引サービスに関する画面において商品のカテゴリ「ベビー用品」を選択した場合、提供装置１００が、レビュアのうち、カテゴリ「ベビー用品」に対応するユーザの購入者情報を提供する例を示したが、提供装置１００の機能はこの例に限定されない。例えば、図１の例において、ユーザＵ１１が電子商取引サービスに関する画面において、商品のカテゴリ「靴」を選択、若しくは、検索クエリ「靴」を入力したものとする。この場合、提供装置１００は、カテゴリ「靴」に属する商品の説明情報を送信した数が所定の閾値以上のユーザを特定すると共に、カテゴリ「靴」に関連するカテゴリ（例えば、ファッションに関するカテゴリ「トップス」、「ボトムス」）に属する商品の説明情報を送信した数が所定の閾値以上のユーザを特定し、特定したユーザに対応する購入者情報を提供する。
【００８２】
〔６．効果〕
上述してきたように、実施形態に係る提供装置１００は、選択コンテンツ提供部１３１と、取得部１３２と、レビュアコンテンツ提供部１３３とを有する。選択コンテンツ提供部１３１は、予め設定された一人又は複数の購入者を示す購入者情報を提供する。取得部１３２は、購入者のうち利用者により選択された購入者により投稿された情報であって、当該購入者により購入された取引対象の説明を示す説明情報を取得する。レビュアコンテンツ提供部１３３は、取得部１３２により取得された説明情報と、取引対象を示す情報と、選択された購入者を示す情報とを利用者に提供する。
【００８３】
これにより、実施形態に係る提供装置１００は、利用者に選択された購入者により投稿された説明情報を取得して提供するため、商品の購入を促す情報を提供できる。
【００８４】
また、実施形態に係る提供装置１００において、例えば、取得部１３２は、購入者により投稿された取引対象に関するレビューである説明情報を取得する。
【００８５】
これにより、実施形態に係る提供装置１００は、購入者により投稿されたレビューを取得して提供するため、商品の購入を促す情報を提供。
【００８６】
また、実施形態に係る提供装置１００において、例えば、選択コンテンツ提供部１３１は、購入者を示すアイコン画像を含む購入者情報を提供する。また、選択コンテンツ提供部１３１は、購入者による購入頻度が所定の条件を満たす取引対象のカテゴリを示す情報を含む購入者情報を提供する。
【００８７】
これにより、実施形態に係る提供装置１００は、購入者の特徴を示す情報と共に当該購入者が投稿した説明情報を提供できるため、レビューの信頼度を向上できる。
【００８８】
また、実施形態に係る提供装置１００において、例えば、レビュアコンテンツ提供部１３３は、取引対象を示す情報が利用者に選択された場合、当該取引対象を示す情報に対応する取引対象の販売コンテンツを提供する。
【００８９】
これにより、実施形態に係る提供装置１００は、購入者を示す情報及び当該購入者が投稿した説明情報を閲覧し、説明情報に対応する取引対象の購入を希望する利用者に対し、販売コンテンツを即座に提供できるため、利便性を向上できる。
【００９０】
また、実施形態に係る提供装置１００において、例えば、選択コンテンツ提供部１３１は、購入者の中から、所定の電子商取引サービスにおける行動を示す行動情報が利用者と類似する購入者を特定し、当該購入者を示す購入者情報を提供する。また、選択コンテンツ提供部１３１は、購入者の中から、所定の電子商取引サービスにおける購入履歴、若しくは、閲覧履歴が利用者と類似する購入者を特定し、当該購入者を示す購入者情報を提供する。また、選択コンテンツ提供部１３１は、購入者の中から、説明情報を投稿した取引対象に基づく属性であって、所定の電子商取引サービスにおける利用者の行動を示す行動情報に対応する属性を有する購入者を特定し、当該購入者を示す購入者情報を提供する。
【００９１】
これにより、実施形態に係る提供装置１００は、利用者に応じた購入者情報を提供できるため、訴求効果の高い情報を提供できる。
【００９２】
また、実施形態に係る提供装置１００において、例えば、選択コンテンツ提供部１３１は、説明情報を投稿した取引対象の数、若しくは、説明情報に対する評価が所定の条件を満たす購入者を示す購入者情報を提供する。また、選択コンテンツ提供部１３１は、購入者の中から、利用者が入力した検索クエリに対応するカテゴリ、若しくは、利用者が選択したカテゴリに属する取引対象の購入頻度が所定の条件を満たす購入者を特定し、当該購入者を示す購入者情報を提供する。
【００９３】
これにより、実施形態に係る提供装置１００は、評価の高い購入者や、特定のカテゴリに詳しい購入者を示す購入者情報を提供できるため、信頼度の高い情報を提供できる。
【００９４】
また、実施形態に係る提供装置１００において、例えば、レビュアコンテンツ提供部１３３は、選択された購入者を示す情報であって、所定の電子商取引サービスにおける購入履歴、若しくは、閲覧履歴を含む情報を提供する。
【００９５】
これにより、実施形態に係る提供装置１００は、利用者によって選択された購入者に関する商品情報を提供できるため、訴求効果の高い情報を提供できる。
【００９６】
また、実施形態に係る提供装置１００において、例えば、レビュアコンテンツ提供部１３３は、購入者により投稿された日時が新しい順に説明情報を提供する。
【００９７】
これにより、実施形態に係る提供装置１００は、利用者による能動的な行動によらず、新しい情報を提供できる。
【００９８】
また、実施形態に係る提供装置１００において、例えば、レビュアコンテンツ提供部１３３は、説明情報を評価の高い順に提供する。
【００９９】
これにより、実施形態に係る提供装置１００は、評価の高い説明情報を提供するため、訴求効果の高い情報を提供できる。
【０１００】
また、実施形態に係る提供装置１００において、例えば、レビュアコンテンツ提供部１３３は、利用者の所定の電子商取引サービスにおける行動を示す行動情報に基づいて、説明情報のうち利用者に提供する説明情報を決定する。
【０１０１】
これにより、実施形態に係る提供装置１００は、利用者の行動情報に基づいて説明情報を提供するため、訴求効果の高い情報を提供できる。
【０１０２】
〔７．ハードウェア構成〕
また、上述してきた各実施形態に係る提供装置は、例えば図８に示すような構成のコンピュータ１０００によって実現される。以下、提供装置１００を例に挙げて説明する。図８は、提供装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１０３】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１０４】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【０１０５】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１０６】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１０７】
例えば、コンピュータ１０００が提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、提供装置１００の記憶装置内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【０１０８】
〔８．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１０９】
また、上述した提供装置１００は、機能によっては外部のプラットフォーム等をＡＰＩ（Application  Programming  Interface）やネットワークコンピューティングなどで呼び出して実現するなど、構成は柔軟に変更できる。
【０１１０】
また、特許請求の範囲に記載した「部」は、「手段」や「回路」などに読み替えることができる。例えば、取得部は、取得手段や取得回路に読み替えることができる。
【符号の説明】
【０１１１】
１０      端末装置
１００    提供装置
１１０    通信部
１２０    記憶部
１２１    行動情報記憶部
１２２    購入者情報記憶部
１２３    説明情報記憶部
１３０    制御部
１３１    選択コンテンツ提供部
１３２    取得部
１３３    レビュアコンテンツ提供部
【図１】
2020135458.tif 000003
【図２】
2020135458.tif 000004
【図３】
2020135458.tif 000005
【図４】
2020135458.tif 000006
【図５】
2020135458.tif 000007
【図６】
2020135458.tif 000008
【図７】
2020135458.tif 000009
【図８】
2020135458.tif 000010
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
所定の電子商取引サービスにおける行動を示す行動情報が利用者と類似する購入者を特定し、当該購入者を示す購入者情報を提供する第１提供部と、
前記購入者のうち利用者により選択された購入者により投稿された情報であって、当該購入者により購入された取引対象の説明を示す説明情報を取得する取得部と、
前記取得部により取得された説明情報と、前記取引対象を示す情報と、前記選択された購入者を示す情報とを利用者に提供する第２提供部と
を備えたことを特徴とする提供装置。
【請求項２】
前記取得部は、
前記購入者により投稿された前記取引対象に関するレビューである前記説明情報を取得する
ことを特徴とする請求項１に記載の提供装置。
【請求項３】
前記第１提供部は、
前記購入者を示すアイコン画像を含む前記購入者情報を提供する
ことを特徴とする請求項１または２に記載の提供装置。
【請求項４】
前記第１提供部は、
前記購入者による購入頻度が所定の条件を満たす取引対象のカテゴリを示す情報を含む前記購入者情報を提供する
ことを特徴とする請求項１から３のうちいずれか一つに記載の提供装置。
【請求項５】
前記取引対象を示す情報が前記利用者に選択された場合、当該取引対象を示す情報に対応する取引対象の販売コンテンツを提供する第３提供部
をさらに備えたことを特徴とする請求項１から４のうちいずれか一つに記載の提供装置。
【請求項６】
前記第１提供部は、
前記購入者の中から、前記所定の電子商取引サービスにおける購入履歴、若しくは、閲覧履歴が前記利用者と類似する購入者を特定し、当該購入者を示す購入者情報を提供する
ことを特徴とする請求項１から５のうちいずれか一つに記載の提供装置。
【請求項７】
前記第１提供部は、
前記購入者の中から、前記説明情報を投稿した取引対象に基づく属性であって、所定の電子商取引サービスにおける前記利用者の行動を示す行動情報に対応する属性を有する購入者を特定し、当該購入者を示す購入者情報を提供する
ことを特徴とする請求項１から６のうちいずれか一つに記載の提供装置。
【請求項８】
前記第１提供部は、
前記説明情報を投稿した取引対象の数、若しくは、前記説明情報に対する評価が所定の条件を満たす前記購入者を示す購入者情報を提供する
ことを特徴とする請求項１から７のうちいずれか一つに記載の提供装置。
【請求項９】
前記第１提供部は、
前記購入者の中から、前記利用者が入力した検索クエリに対応するカテゴリ、若しくは、前記利用者が選択したカテゴリに属する取引対象の購入頻度が所定の条件を満たす購入者を特定し、当該購入者を示す購入者情報を提供する
ことを特徴とする請求項１から８のうちいずれか一つに記載の提供装置。
【請求項１０】
前記第２提供部は、
前記選択された購入者を示す情報であって、所定の電子商取引サービスにおける購入履歴、若しくは、閲覧履歴を含む情報を提供する
ことを特徴とする請求項１から９のうちいずれか一つに記載の提供装置。
【請求項１１】
前記第２提供部は、
前記購入者により投稿された日時が新しい順に前記説明情報を提供する
ことを特徴とする請求項１から１０のうちいずれか一つに記載の提供装置。
【請求項１２】
前記第２提供部は、
前記説明情報を評価の高い順に提供する
ことを特徴とする請求項１から１１のうちいずれか一つに記載の提供装置。
【請求項１３】
前記第２提供部は、
前記利用者の所定の電子商取引サービスにおける行動を示す行動情報に基づいて、前記説明情報のうち前記利用者に提供する説明情報を決定する
ことを特徴とする請求項１から１２のうちいずれか一つに記載の提供装置。
【請求項１４】
コンピュータが実行する提供方法であって、
所定の電子商取引サービスにおける行動を示す行動情報が利用者と類似する購入者を特定し、当該購入者を示す購入者情報を提供する第１提供工程と、
前記購入者のうち利用者により選択された購入者により投稿された情報であって、当該購入者により購入された取引対象の説明を示す説明情報を取得する取得工程と、
前記取得工程により取得された説明情報と、前記取引対象を示す情報と、前記選択された購入者を示す情報とを利用者に提供する第２提供工程と
を含むことを特徴とする提供方法。
【請求項１５】
所定の電子商取引サービスにおける行動を示す行動情報が利用者と類似する購入者を特定し、当該購入者を示す購入者情報を提供する第１提供手順と、
前記購入者のうち利用者により選択された購入者により投稿された情報であって、当該購入者により購入された取引対象の説明を示す説明情報を取得する取得手順と、
前記取得手順により取得された説明情報と、前記取引対象を示す情報と、前記選択された購入者を示す情報とを利用者に提供する第２提供手順と
コンピュータに実行させることを特徴とする提供プログラム。